(57)【要約】【課題】  強入力妨害に対する耐性を改善することが可能なテレビジョンチューナを提供する。【解決手段】  Ｕ−Ｖ分離回路３に含まれるコンデンサＣｖの一方端子は、広帯域増幅器２の出力ノードに接続されるとともに、ＶＨＦハイバンド入力同調回路１１の入力ノードおよびＩＦトラップ回路１８の入力ノードに接続される。コンデンサＣｖの他方端子は、ＵＨＦ入力同調回路４の入力ノードに接続される。Ｕ−Ｖ分離回路３は、広帯域増幅器２によって増幅されたテレビジョン信号をＵＨＦバンドの系統とＶＨＦハイバンドおよびＶＨＦローバンドの系統とに分配する。ＩＦトラップ回路１８は、Ｕ−Ｖ分離回路３から分配されたテレビジョン信号を受け、特定の周波数帯域の信号を減衰させて、ＶＨＦローバンド入力同調回路１９に与える。【選択図】        図２
2007036445.tif 000002
【特許請求の範囲】
【請求項１】
アナログ放送、地上波デジタル放送およびケーブルテレビ放送を受信するシングルコンバージョン方式のテレビジョンチューナであって、
アンテナ端子を介して受けたテレビジョン信号をＵＨＦバンドの系統とＶＨＦハイバンドおよびＶＨＦローバンドの系統とに分配する分離回路、
前記ＵＨＦバンドの系統に対応して設けられ、前記分離回路から分配された信号を同調処理し、かつ高周波増幅する第１の同調増幅部、
前記ＶＨＦハイバンドの系統に対応して設けられ、前記分離回路から分配された信号を同調処理し、かつ高周波増幅する第２の同調増幅部、
前記ＶＨＦローバンドの系統に対応して設けられ、前記分離回路から分配された信号を受けて、予め定められた周波数帯域の信号を減衰させるフィルタ部、
前記ＶＨＦローバンドの系統に対応して設けられ、前記フィルタ部を通過した信号を同調処理し、かつ高周波増幅する第３の同調増幅部、および
前記ＵＨＦバンドと前記ＶＨＦハイバンドと前記ＶＨＦローバンドのうち、選局されたチャネルの周波数に対応するバンドの系統のみを動作状態にし、他のバンドの系統を非動作状態にするバンド切替部を備える、テレビジョンチューナ。
【請求項２】
アナログ放送、地上波デジタル放送およびケーブルテレビ放送を受信するシングルコンバージョン方式のテレビジョンチューナであって、
アンテナ端子を介してテレビジョン信号を受け、予め定められた周波数帯域の信号を減衰させるフィルタ部、
前記フィルタ部を通過した信号をＵＨＦバンドの系統とＶＨＦハイバンドおよびＶＨＦローバンドの系統とに分配する分離回路、
前記ＵＨＦバンドの系統に対応して設けられ、前記分離回路から分配された信号を同調処理し、かつ高周波増幅する第１の同調増幅部、
前記ＶＨＦハイバンドの系統に対応して設けられ、前記分離回路から分配された信号を同調処理し、かつ高周波増幅する第２の同調増幅部、
前記ＶＨＦローバンドの系統に対応して設けられ、前記分離回路から分配された信号を同調処理し、かつ高周波増幅する第３の同調増幅部、および
前記ＵＨＦバンドと前記ＶＨＦハイバンドと前記ＶＨＦローバンドのうち、選局されたチャネルの周波数に対応するバンドの系統のみを動作状態にし、他のバンドの系統を非動作状態にするバンド切替部を備える、テレビジョンチューナ。
【請求項３】
前記フィルタ部は、前記ＶＨＦローバンドよりも低い周波数の所定の周波数帯域を減衰域とするトラップ回路である、請求項１または請求項２に記載のテレビジョンチューナ。
【請求項４】
前記分離回路は、その一方端子が前記アンテナ端子からのテレビジョン信号を受け、その他方端子が前記第１の同調増幅部の入力ノードに接続されたコンデンサを含み、
前記第１の同調増幅部は、その入力ノードと基準電位のラインとの間に接続されたコイルを含み、
前記コンデンサおよび前記コイルは、前記ＵＨＦバンドを通過域とするハイパスフィルタを構成する、請求項１から請求項３までのいずれかに記載のテレビジョンチューナ。
【請求項５】
前記Ｕ−Ｖ分離回路は、互いに磁気的に結合された第１および第２のインダクタを含み、
前記第１および第２のインダクタは、前記ＵＨＦバンドを通過域とするハイパスフィルタを構成する、請求項１から請求項３までのいずれかに記載のテレビジョンチューナ。
【請求項６】
さらに、前記アンテナ端子と前記分離回路との間に設けられ、テレビジョン信号を広帯域にわたって増幅する広帯域増幅器を備える、請求項１から請求項５までのいずれかに記載のテレビジョンチューナ。
【発明の詳細な説明】
【技術分野】
【０００１】
この発明は、テレビジョンチューナに関し、特に、シングルコンバージョン方式のテレビジョンチューナに関する。より特定的には、この発明は、アナログ放送、地上波デジタル放送およびケーブルテレビ放送を受信するテレビジョンチューナに関する。
【背景技術】
【０００２】
アナログのテレビジョン放送が開始されて５０年が経ち、日本のテレビ保有世帯は現在２０００万〜３０００万世帯となっている。東京・大阪・古屋の一部の地域では２００３年から地上波デジタル放送が開始されており、２０１１年にはアナログ放送が停止することになっている。ケーブルテレビ放送およびＢＳ（Broadcasting Satellite）放送では、既にデジタル方式に切り替えられつつある。また、米国においては２００７年に完全デジタル化に移行する予定となっている。このように、世界的に地上波デジタル放送の本格的な普及期を迎えようとしている。
【０００３】
たとえば、米国（ＵＳ）向けのテレビジョンチューナでは、４７０〜８６０ＭＨｚを受信するＵＨＦ（Ultra High Frequency）バンドと、１７０〜４７０ＭＨｚを受信するＶＨＦ（Very High Frequency）ハイバンドと、５４〜１７０ＭＨｚを受信するＶＨＦローバンドとに分割され、各バンドに対応した受信回路を有する。ただし、バンドがどのように分割されるかは国や地域により異なり、特に規定されていない。
【０００４】
従来のテレビジョンチューナでは、一般に、シングルコンバージョン方式（スーパーヘテロダイン方式）が用いられる。シングルコンバージョン方式とは、無線通信の受信機において、受信した高周波信号と局部発振信号を乗算することにより、高周波信号を中間周波数（ＩＦ：Intermediate Frequency）に周波数変換し、これを増幅したあとに復調等の受信処理を行なう方式である。
【０００５】
図５は、従来のシングルコンバージョン方式のテレビジョンチューナの概略構成を示すブロック図である。図５において、このテレビジョンチューナは、入力端子１０１と、ハイパスフィルタ（ＨＰＦ）１０２と、入力切替回路１０３，１１０と、ＵＨＦ入力同調回路１０４と、ＡＧＣ（Automatic Gain Control）抵抗１０５，１１３と、ＵＨＦ高周波増幅器１０６と、ＵＨＦ出力同調回路１０７と、ＵＨＦミキサー回路１０８と、ＵＨＦ局部発振回路１０９と、ＶＨＦハイバンド入力同調回路１１１と、ＶＨＦローバンド入力同調回路１１２と、ＶＨＦ高周波増幅器１１４と、ＶＨＦハイバンド出力同調回路１１５と、ＶＨＦローバンド出力同調回路１１６と、ＶＨＦミキサー回路１１７と、ＶＨＦハイバンド局部発振回路１１８と、ＶＨＦローバンド局部発振回路１１９と、ＩＦ増幅回路１２０と、ＳＡＷフィルタ１２１と、アナログ復調回路１２２と、バンド切替スイッチＳＷ１０１〜ＳＷ１０４と、バイアス抵抗Ｒ１０３とを備える。入力切替回路１０３は、スイッチングダイオードＤｓｗ１０１とバイアス抵抗Ｒ１０１とを含む。入力切替回路１１０は、スイッチングダイオードＤｓｗ１０２とバイアス抵抗Ｒ１０２とを含む。
【０００６】
ハイパスフィルタ１０２は、入力端子（アンテナ端子）１０１を介して受けたテレビジョン信号の高域周波数を通過させる。このハイパスフィルタ１０２は、ＩＦフィルタとも呼ばれ、たとえば５〜４６ＭＨｚを減衰域とし、５４ＭＨｚ以上を通過域とする。
【０００７】
入力切替回路１０３は、ハイパスフィルタ１０２を通過したテレビジョン信号の中からＵＨＦ信号を抽出する。入力切替回路１０３において、スイッチングダイオードＤｓｗ１０１は、ＵＨＦ入力同調回路１０４とハイパスフィルタ１０２との間にハイパスフィルタ１０２に向かって順方向に接続される。バイアス抵抗Ｒ１０１は、スイッチングダイオードＤｓｗ１０１とＵＨＦ入力同調回路１０４の間のノードと電源供給端子＋Ｂｕとの間に接続される。ＵＨＦバンド選択時は、電源供給端子＋Ｂｕが所定レベルの電源電圧を受け、スイッチングダイオードＤｓｗ１０１に順方向の電圧が印加されてスイッチングダイオードＤｓｗ１０１がオン状態となる。ＵＨＦバンド非選択時は、電源供給端子＋Ｂｕが接地電圧を受け、スイッチングダイオードＤｓｗ１０１はオフ状態となる。
【０００８】
ＵＨＦ入力同調回路１０４は、入力切替回路１０３からのＵＨＦ信号を受け、同調電圧供給端子ＶＴから供給される同調電圧に応じて特定のチャネルの周波数を選択して同調する。ここで、同調とは、ある特定の周波数について、その周波数成分をもつ信号を共振により増幅させることをいい、その周波数以外の成分を相対的に減衰させる効果を有する。
【０００９】
ＡＧＣ抵抗１０５は、利得制御端子ＧＣとＵＨＦ高周波増幅器１０６との間に接続される。利得制御端子ＧＣは、アナログ復調回路１２２内部の映像信号復調回路から供給される利得制御電圧を受ける。ＵＨＦ高周波増幅器１０６は、利得制御端子ＧＣからＡＧＣ抵抗１０５を介して印加される利得制御電圧を受けて、ＵＨＦ入力同調回路１０４によって同調されたＵＨＦ信号を増幅する。
【００１０】
ＵＨＦ出力同調回路１０７は、ＵＨＦ高周波増幅器１０６によって増幅されたＵＨＦ信号を受け、同調電圧供給端子ＶＴから供給される同調電圧に応じて特定のチャネルの周波数を選択して同調する。ＵＨＦミキサー回路１０８は、ＵＨＦ局部発振回路１０９からの局部発振信号を受けて、ＵＨＦ出力同調回路１０７によって同調されたＵＨＦ信号をＩＦ信号に周波数変換する。
【００１１】
バイアス抵抗１０３は、ハイパスフィルタ１０２と接地電位ＧＮＤのラインとの間に接続される。
【００１２】
入力切替回路１１０は、ハイパスフィルタ１０２を通過したテレビジョン信号の中からＶＨＦ信号を抽出する。入力切替回路１１０において、スイッチングダイオードＤｓｗ１０２は、バンド切替スイッチＳＷ１０１とハイパスフィルタ１０２との間にハイパスフィルタ１０２に向かって順方向に接続される。バイアス抵抗Ｒ１０２は、スイッチングダイオードＤｓｗ１０２とバンド切替スイッチＳＷ１０１の間のノードと電源供給端子＋Ｂｖとの間に接続される。ＶＨＦバンド選択時は、電源供給端子＋Ｂｖが所定レベルの電源電圧を受け、スイッチングダイオードＤｓｗ１０２に順方向の電圧が印加されてスイッチングダイオードＤｓｗ１０２がオン状態となる。ＶＨＦバンド非選択時は、電源供給端子＋Ｂｖが接地電圧を受け、スイッチングダイオードＤｓｗ１０２はオフ状態となる。
【００１３】
バンド切替スイッチＳＷ１０１は、入力切替回路１１０からのＶＨＦ信号を受け、ＶＨＦハイバンド選択時はＶＨＦハイバンド入力同調回路１１１にＶＨＦハイバンド信号を与え、ＶＨＦローバンド選択時はＶＨＦローバンド入力同調回路１１２にＶＨＦローバンド信号を与える。
【００１４】
ＶＨＦハイバンド入力同調回路１１１は、バンド切替スイッチＳＷ１０１からのＶＨＦハイバンド信号を受け、同調電圧供給端子ＶＴから供給される同調電圧に応じて特定のチャネルの周波数を選択して同調する。ＶＨＦローバンド入力同調回路１１２は、バンド切替スイッチＳＷ１０１からのＶＨＦローバンド信号を受け、同調電圧供給端子ＶＴから供給される同調電圧に応じて特定のチャネルの周波数を選択して同調する。
【００１５】
ＡＧＣ抵抗１１３は、利得制御端子ＧＣとＶＨＦ高周波増幅器１１４との間に接続される。ＶＨＦ高周波増幅器１１４は、利得制御端子ＧＣからＡＧＣ抵抗１１３を介して印加される利得制御電圧を受けて、ＶＨＦハイバンド入力同調回路１１１およびＶＨＦローバンド入力同調回路１１２によってそれぞれ同調されたＶＨＦ信号を増幅する。
【００１６】
バンド切替スイッチＳＷ１０２は、ＶＨＦ高周波増幅器１１４からのＶＨＦ信号を受け、ＶＨＦハイバンド選択時はＶＨＦハイバンド出力同調回路１１５にＶＨＦハイバンド信号を与え、ＶＨＦローバンド選択時はＶＨＦローバンド出力同調回路１１６にＶＨＦローバンド信号を与える。
【００１７】
ＶＨＦハイバンド出力同調回路１１５は、バンド切替スイッチＳＷ１０２からのＶＨＦハイバンド信号を受け、同調電圧供給端子ＶＴから供給される同調電圧に応じて特定のチャネルの周波数を選択して同調する。ＶＨＦローバンド出力同調回路１１６は、バンド切替スイッチＳＷ１０２からのＶＨＦローバンド信号を受け、同調電圧供給端子ＶＴから供給される同調電圧に応じて特定のチャネルの周波数を選択して同調する。
【００１８】
バンド切替スイッチＳＷ１０３は、ＶＨＦハイバンド選択時はＶＨＦハイバンド出力同調回路１１５からのＶＨＦハイバンド信号をＶＨＦミキサー回路１１７に与え、ＶＨＦローバンド選択時はＶＨＦローバンド出力同調回路１１６からのＶＨＦローバンド信号をＶＨＦミキサー回路１１７に与える。
【００１９】
ＶＨＦミキサー回路１１７は、ＶＨＦハイバンド局部発振回路１１８からの局部発振信号またはＶＨＦローバンド局部発振回路１１９からの局部発振信号を受けて、ＶＨＦハイバンド出力同調回路１１５またはＶＨＦローバンド出力同調回路１１６によって同調されたＶＨＦ信号をＩＦ信号に周波数変換する。バンド切替スイッチＳＷ１０４は、ＶＨＦハイバンド選択時はＶＨＦハイバンド局部発振回路１１８からの局部発振信号をＶＨＦミキサー回路１１７に与え、ＶＨＦローバンド選択時はＶＨＦローバンド局部発振回路１１９からの局部発振信号をＶＨＦミキサー回路１１７に与える。
【００２０】
ＩＦ増幅回路１２０は、ＵＨＦミキサー回路１０８またはＶＨＦミキサー回路１１７によって周波数変換されたＩＦ信号を増幅する。ＳＡＷフィルタ１２１は、ＩＦ増幅回路１２０の出力信号を受け、所望の周波数帯域の信号のみを通過させる。
【００２１】
アナログ復調回路１２２は、ＳＡＷフィルタ１２１の出力信号を復調して、ベースバンド帯の映像帯域信号および音声帯域信号を出力する。また、復調したベースバンド帯の帯域信号のレベルに応じて、利得制御電圧を生成して利得制御端子ＧＣに与える。
【００２２】
なお、バンド切替スイッチＳＷ１０１〜ＳＷ１０４の切替制御、電源供給端子＋Ｂｕ，＋Ｂｖの電圧制御、各同調回路の同調制御などの選局制御動作は、選局されたチャネルの周波数に応じて、図示しないＰＬＬ（Phase Locked Loop）制御回路により行なわれる。
【００２３】
また、バンド切替スイッチＳＷ１０１〜ＳＷ１０４は、たとえばスイッチングダイオードで構成される。
【００２４】
下記の特許文献１には、ＶＨＦハイバンド受信時に、受信したＶＨＦハイバンドの信号が減衰を受けず、ＮＦ、入力感度、Ｓ／Ｎ等の特性に影響を与えないテレビジョンチューナの入力回路が開示されている。
【００２５】
また下記の特許文献２には、選択度特性のすぐれたテレビジョンチューナの入力同調回路を簡単な構成で実現する方法が開示されている。
【００２６】
また下記の特許文献３には、テレビジョン信号受信チューナで簡単にＦＭ放送信号を受信できるようにし、さらにテレビジョン信号あるいはＦＭ放送信号の受信時に他の妨害信号の影響を受けないようにする方法が開示されている。
【特許文献１】特開２００１−１５６５９３号公報
【特許文献２】特開２００１−１６８６８３号公報
【特許文献３】特開平１１−８５６２号公報
【発明の開示】
【発明が解決しようとする課題】
【００２７】
地上波デジタル放送が十分に普及してアナログ放送が終了するまでは、現在のアナログ放送と地上波デジタル放送と並行して実施する必要がある。これにより、周波数（チャンネル）が混みあっている一部の地域ではデジタルとアナログの電波が混信してしまう。このため、アナログ放送のＶＨＦ帯（９０〜２２０ＭＨｚ）の周波数（チャンネル）をＵＨＦ帯（４７０〜７７０ＭＨｚ）の周波数（チャンネル）へ変更するアナアナ変換が実施されている。このアナアナ変換により、地域によってはＶＨＦ帯〜ＵＨＦ帯において２０チャンネル以上の放送波が送信されている。このため、テレビジョンチューナが受けるテレビジョン信号の入力レベルが９０ｄＢｕＶ以上（たとえば１００〜１０５ｄＢｕＶ）の強入力レベルになっているケースがある。特にアンテナとテレビジョンチューナとの間に信号増幅用のブースタが設置されている場合は、テレビジョンチューナが受けるテレビジョン信号の入力レベルが大きくなる。
【００２８】
図５に示した従来のシングルコンバージョン方式のテレビジョンチューナでは、テレビジョン信号の入力レベルが９０ｄＢｕＶ以上の強入力レベルとなっている場合、種々の強入力妨害が発生するという問題があった。
【００２９】
たとえば、アンテナが受信したテレビジョン信号が複数のテレビジョンチューナに分配されている場合、電源オフ（無通電状態）にされているテレビジョンチューナからノイズが発生して、電源オン（通電状態）にされているテレビジョンチューナが妨害（無通電妨害）を受けるという問題があった。これは、電源オフ（無通電状態）にされているテレビジョンチューナが強入力レベルのテレビジョン信号を受けると、入力切替回路１０３，１１０に用いられているスイッチングダイオードＤｓｗ１０１，Ｄｓｗ１０２、およびバンド切替スイッチ（スイッチングダイオード）ＳＷ１０１〜ＳＷ１０４が飽和状態になるためである。
【００３０】
また、無通電状態で一旦飽和したスイッチングダイオードが通電状態にされた場合、歪みが発生してしまう。このため、アナアナ変換によりＵＨＦ帯（４７０〜７７０ＭＨｚ）の高域側に配置されたアナログ放送のチャンネルに対して、ＵＨＦ帯の低域側（たとえば４７０〜５００ＭＨｚ）に配置されたデジタル放送のチャンネルが妨害（デジタル妨害）を与えるという問題があった。さらに、スイッチングダイオードによる歪みの影響で、テレビジョンチューナのＣＮ比（搬送波電力対雑音電力比）が劣化してしまうという問題があった。
【００３１】
しかしながら、入力切替回路１０３，１１０に用いられているスイッチングダイオードＤｓｗ１０１，Ｄｓｗ１０２を除去すると、ＵＨＦ帯のチャンネル受信時においてはＶＨＦハイバンド入力同調回路１１１およびＶＨＦローバンド入力同調回路１１２によるトラップ（不要な周波数の信号を減衰させること）の影響を受け易く、またＶＨＦ帯のチャンネル受信時においてはＵＨＦ入力同調回路１０４によるトラップの影響を受け易くなってしまうという問題が生じていた。
【００３２】
また、デジタル放送を受信するテレビジョンチューナでは、チューナの入力部に広帯域増幅器が設けられることが多い。この場合は、スイッチングダイオードによる歪みの影響が更に大きくなってしまうという問題が生じていた。
【００３３】
以上のように、従来のシングルコンバージョン方式のテレビジョンチューナでは、種々の強入力妨害に対する耐性が十分でないという問題があった。また、特許文献１〜３に記載されたチューナは、上記の諸問題をすべて解決し得るものではない。
【００３４】
それゆえに、この発明の主たる目的は、強入力妨害に対する耐性を改善することが可能なテレビジョンチューナを提供することである。
【課題を解決するための手段】
【００３５】
この発明に係わるテレビジョンチューナは、アナログ放送、地上波デジタル放送およびケーブルテレビ放送を受信するシングルコンバージョン方式のテレビジョンチューナであって、アンテナ端子を介して受けたテレビジョン信号をＵＨＦバンドの系統とＶＨＦハイバンドおよびＶＨＦローバンドの系統とに分配する分離回路と、ＵＨＦバンドの系統に対応して設けられ、分離回路から分配された信号を同調処理し、かつ高周波増幅する第１の同調増幅部と、ＶＨＦハイバンドの系統に対応して設けられ、分離回路から分配された信号を同調処理し、かつ高周波増幅する第２の同調増幅部と、ＶＨＦローバンドの系統に対応して設けられ、分離回路から分配された信号を受けて、予め定められた周波数帯域の信号を減衰させるフィルタ部と、ＶＨＦローバンドの系統に対応して設けられ、フィルタ部を通過した信号を同調処理し、かつ高周波増幅する第３の同調増幅部と、ＵＨＦバンドとＶＨＦハイバンドとＶＨＦローバンドのうち、選局されたチャネルの周波数に対応するバンドの系統のみを動作状態にし、他のバンドの系統を非動作状態にするバンド切替部とを備えたものである。
【００３６】
この発明に係わる他のテレビジョンチューナは、アナログ放送、地上波デジタル放送およびケーブルテレビ放送を受信するシングルコンバージョン方式のテレビジョンチューナであって、アンテナ端子を介してテレビジョン信号を受け、予め定められた周波数帯域の信号を減衰させるフィルタ部と、フィルタ部を通過した信号をＵＨＦバンドの系統とＶＨＦハイバンドおよびＶＨＦローバンドの系統とに分配する分離回路と、ＵＨＦバンドの系統に対応して設けられ、分離回路から分配された信号を同調処理し、かつ高周波増幅する第１の同調増幅部と、ＶＨＦハイバンドの系統に対応して設けられ、分離回路から分配された信号を同調処理し、かつ高周波増幅する第２の同調増幅部と、ＶＨＦローバンドの系統に対応して設けられ、分離回路から分配された信号を同調処理し、かつ高周波増幅する第３の同調増幅部と、ＵＨＦバンドとＶＨＦハイバンドとＶＨＦローバンドのうち、選局されたチャネルの周波数に対応するバンドの系統のみを動作状態にし、他のバンドの系統を非動作状態にするバンド切替部とを備えたものである。
【００３７】
好ましくは、フィルタ部は、ＶＨＦローバンドよりも低い周波数の所定の周波数帯域を減衰域とするトラップ回路である。
【００３８】
また好ましくは、分離回路は、その一方端子がアンテナ端子からのテレビジョン信号を受け、その他方端子が第１の同調増幅部の入力ノードに接続されたコンデンサを含む。第１の同調増幅部は、その入力ノードと基準電位のラインとの間に接続されたコイルを含む。コンデンサおよびコイルは、ＵＨＦバンドを通過域とするハイパスフィルタを構成する。
【００３９】
また好ましくは、Ｕ−Ｖ分離回路は、互いに磁気的に結合された第１および第２のインダクタを含む。第１および第２のインダクタは、ＵＨＦバンドを通過域とするハイパスフィルタを構成する。
【００４０】
また好ましくは、さらに、アンテナ端子と分離回路との間に設けられ、テレビジョン信号を広帯域にわたって増幅する広帯域増幅器を備える。
【発明の効果】
【００４１】
この発明に係わるテレビジョンチューナでは、アンテナ端子を介して受けたテレビジョン信号をＵＨＦバンドの系統とＶＨＦハイバンドおよびＶＨＦローバンドの系統とに分配する分離回路と、ＵＨＦバンドの系統に対応して設けられ、分離回路から分配された信号を同調処理し、かつ高周波増幅する第１の同調増幅部と、ＶＨＦハイバンドの系統に対応して設けられ、分離回路から分配された信号を同調処理し、かつ高周波増幅する第２の同調増幅部と、ＶＨＦローバンドの系統に対応して設けられ、分離回路から分配された信号を受けて、予め定められた周波数帯域の信号を減衰させるフィルタ部と、ＶＨＦローバンドの系統に対応して設けられ、フィルタ部を通過した信号を同調処理し、かつ高周波増幅する第３の同調増幅部と、ＵＨＦバンドとＶＨＦハイバンドとＶＨＦローバンドのうち、選局されたチャネルの周波数に対応するバンドの系統のみを動作状態にし、他のバンドの系統を非動作状態にするバンド切替部とを備えたものである。したがって、従来のテレビジョンチューナに用いていたスイッチングダイオードの使用を廃止することができる。これにより、テレビジョン信号の入力レベルが９０ｄＢｕＶ以上の強入力レベルとなっている場合における、強入力妨害に対する耐性が改善される。
【００４２】
この発明に係わる他のテレビジョンチューナでは、アンテナ端子を介してテレビジョン信号を受け、予め定められた周波数帯域の信号を減衰させるフィルタ部と、フィルタ部を通過した信号をＵＨＦバンドの系統とＶＨＦハイバンドおよびＶＨＦローバンドの系統とに分配する分離回路と、ＵＨＦバンドの系統に対応して設けられ、分離回路から分配された信号を同調処理し、かつ高周波増幅する第１の同調増幅部と、ＶＨＦハイバンドの系統に対応して設けられ、分離回路から分配された信号を同調処理し、かつ高周波増幅する第２の同調増幅部と、ＶＨＦローバンドの系統に対応して設けられ、分離回路から分配された信号を同調処理し、かつ高周波増幅する第３の同調増幅部と、ＵＨＦバンドとＶＨＦハイバンドとＶＨＦローバンドのうち、選局されたチャネルの周波数に対応するバンドの系統のみを動作状態にし、他のバンドの系統を非動作状態にするバンド切替部とを備えたものである。この場合も、従来のテレビジョンチューナに用いていたスイッチングダイオードの使用を廃止することができる。これにより、テレビジョン信号の入力レベルが９０ｄＢｕＶ以上の強入力レベルとなっている場合における、強入力妨害に対する耐性が改善される。
【発明を実施するための最良の形態】
【００４３】
［実施の形態１］
図１は、この発明の実施の形態１によるシングルコンバージョン方式のテレビジョンチューナの概略構成を示すブロック図である。図１において、４７０〜８６０ＭＨｚを受信するＵＨＦバンドと、１７０〜４７０ＭＨｚを受信するＶＨＦハイバンドと、５４〜１７０ＭＨｚを受信するＶＨＦローバンドとに分割され、各バンドに対応した受信回路を有する米国向けのテレビジョンチューナを一例として示す。ただし、バンドがどのように分割されるかは国や地域により異なり、特に規定されていない。このテレビジョンチューナは、アナログ放送、地上波デジタル放送およびケーブルテレビ放送を受信し、ケーブルインターネットのパケットデータ通信を行なうこともできる。
【００４４】
図１を参照して、このテレビジョンチューナは、入力端子１と、広帯域増幅器２と、Ｕ−Ｖ分離回路３と、ＵＨＦ入力同調回路４と、ＡＧＣ抵抗５，１２，２０と、ＵＨＦ高周波増幅器６と、バンド切替回路７，１４，２２と、ＵＨＦ出力同調回路８と、ＵＨＦミキサー回路９と、ＵＨＦ局部発振回路１０と、ＶＨＦハイバンド入力同調回路１１と、ＶＨＦハイバンド高周波増幅器１３と、ＶＨＦハイバンド出力同調回路１５と、ＶＨＦハイバンドミキサー回路１６と、ＶＨＦハイバンド局部発振回路１７と、ＩＦトラップ回路１８と、ＶＨＦローバンド入力同調回路１９と、ＶＨＦローバンド高周波増幅器２１と、ＶＨＦローバンド出力同調回路２３と、ＶＨＦローバンドミキサー回路２４と、ＶＨＦローバンド局部発振回路２５と、ＩＦ増幅回路２６と、ＳＡＷフィルタ２７と、アナログ復調回路２８とを備える。
【００４５】
広帯域増幅器２は、入力端子（アンテナ端子）１を介して受けたテレビジョン信号を広帯域にわたって増幅する。Ｕ−Ｖ分離回路３は、広帯域増幅器２によって増幅されたテレビジョン信号をＵＨＦバンドの系統とＶＨＦハイバンドおよびＶＨＦローバンドの系統とに分配する。
【００４６】
ＵＨＦ入力同調回路４は、Ｕ−Ｖ分離回路３から分配されたテレビジョン信号を受け、同調電圧供給端子ＶＴから供給される同調電圧に応じて特定のチャネルの周波数を選択して同調し、ＵＨＦ信号を出力する。ＡＧＣ抵抗５は、利得制御端子ＧＣとＵＨＦ高周波増幅器６との間に接続される。利得制御端子ＧＣは、アナログ復調回路２８内部の映像信号復調回路から供給される利得制御電圧を受ける。ＵＨＦ高周波増幅器６は、利得制御端子ＧＣからＡＧＣ抵抗５を介して印加される利得制御電圧を受けて、ＵＨＦ入力同調回路４によって同調されたＵＨＦ信号を増幅する。
【００４７】
バンド切替回路７は、電源供給端子＋Ｂｕに与えられる電圧に応じて、ＵＨＦバンドの系統を動作状態または非動作状態に切替える。ＵＨＦバンド選択時は、電源供給端子＋Ｂｕが所定レベルの電源電圧を受け、ＵＨＦバンドの系統を動作状態にする。ＵＨＦバンド非選択時は、電源供給端子＋Ｂｕが接地電圧を受け、ＵＨＦバンドの系統を非動作状態にする。
【００４８】
ＵＨＦ出力同調回路８は、バンド切替回路７からＵＨＦ信号を受け、同調電圧供給端子ＶＴから供給される同調電圧に応じて特定のチャネルの周波数を選択して同調する。ＵＨＦミキサー回路９は、ＵＨＦ局部発振回路１０からの局部発振信号を受けて、ＵＨＦ出力同調回路８によって同調されたＵＨＦ信号をＩＦ信号に周波数変換する。
【００４９】
ＶＨＦハイバンド入力同調回路１１は、Ｕ−Ｖ分離回路３から分配されたテレビジョン信号を受け、同調電圧供給端子ＶＴから供給される同調電圧に応じて特定のチャネルの周波数を選択して同調し、ＶＨＦハイバンド信号を出力する。ＡＧＣ抵抗１２は、利得制御端子ＧＣとＶＨＦハイバンド高周波増幅器１３との間に接続される。利得制御端子ＧＣは、アナログ復調回路２８内部の映像信号復調回路から供給される利得制御電圧を受ける。ＶＨＦハイバンド高周波増幅器１３は、利得制御端子ＧＣからＡＧＣ抵抗１２を介して印加される利得制御電圧を受けて、ＶＨＦハイバンド入力同調回路１１によって同調されたＶＨＦハイバンド信号を増幅する。
【００５０】
バンド切替回路１４は、電源供給端子＋ＢｖＨに与えられる電圧に応じて、ＶＨＦハイバンドの系統を動作状態または非動作状態に切替える。ＶＨＦハイバンド選択時は、電源供給端子＋ＢｖＨが所定レベルの電源電圧を受け、ＶＨＦハイバンドの系統を動作状態にする。ＶＨＦハイバンド非選択時は、電源供給端子＋ＢｖＨが接地電圧を受け、ＶＨＦハイバンドの系統を非動作状態にする。
【００５１】
ＶＨＦハイバンド出力同調回路１５は、バンド切替回路１４からＶＨＦハイバンド信号を受け、同調電圧供給端子ＶＴから供給される同調電圧に応じて特定のチャネルの周波数を選択して同調する。ＶＨＦハイバンドミキサー回路１６は、ＶＨＦハイバンド局部発振回路１６からの局部発振信号を受けて、ＶＨＦハイバンド出力同調回路１５によって同調されたＶＨＦハイバンド信号をＩＦ信号に周波数変換する。
【００５２】
ＩＦトラップ回路１８は、Ｕ−Ｖ分離回路３から分配されたテレビジョン信号を受け、特定の周波数帯域の信号を減衰させる。このＩＦトラップ回路１８は、共振周波数近傍の信号を減衰させる一般的な構成のトラップ回路であり、たとえば４０〜４６ＭＨｚを減衰域とし、５４ＭＨｚ以上を通過域とする。
【００５３】
ＶＨＦローバンド入力同調回路１９は、ＩＦトラップ回路１８を通過したテレビジョン信号を受け、同調電圧供給端子ＶＴから供給される同調電圧に応じて特定のチャネルの周波数を選択して同調し、ＶＨＦローバンド信号を出力する。ＡＧＣ抵抗２０は、利得制御端子ＧＣとＶＨＦローバンド高周波増幅器２１との間に接続される。利得制御端子ＧＣは、アナログ復調回路２８内部の映像信号復調回路から供給される利得制御電圧を受ける。ＶＨＦローバンド高周波増幅器２１は、利得制御端子ＧＣからＡＧＣ抵抗２０を介して印加される利得制御電圧を受けて、ＶＨＦローバンド入力同調回路１９によって同調されたＶＨＦローバンド信号を増幅する。
【００５４】
バンド切替回路２２は、電源供給端子＋ＢｖＬに与えられる電圧に応じて、ＶＨＦローバンドの系統を動作状態または非動作状態に切替える。ＶＨＦローバンド選択時は、電源供給端子＋ＢｖＬが所定レベルの電源電圧を受け、ＶＨＦローバンドの系統を動作状態にする。ＶＨＦローバンド非選択時は、電源供給端子＋ＢｖＬが接地電圧を受け、ＶＨＦローバンドの系統を非動作状態にする。
【００５５】
ＶＨＦローバンド出力同調回路２３は、バンド切替回路２２からＶＨＦローバンド信号を受け、同調電圧供給端子ＶＴから供給される同調電圧に応じて特定のチャネルの周波数を選択して同調する。ＶＨＦローバンドミキサー回路２４は、ＶＨＦローバンド局部発振回路２５からの局部発振信号を受けて、ＶＨＦローバンド出力同調回路２３によって同調されたＶＨＦローバンド信号をＩＦ信号に周波数変換する。
【００５６】
ＩＦ増幅回路２６は、ＵＨＦミキサー回路９またはＶＨＦハイバンドミキサー回路１６またはＶＨＦハイバンドミキサー回路２４によって周波数変換されたＩＦ信号を増幅する。ＳＡＷフィルタ２７は、ＩＦ増幅回路２６の出力信号を受け、所望の周波数帯域の信号のみを通過させる。
【００５７】
アナログ復調回路２８は、ＳＡＷフィルタ２７の出力信号を復調して、ベースバンド帯の映像帯域信号および音声帯域信号を出力する。また、復調したベースバンド帯の帯域信号のレベルに応じて、利得制御電圧を生成して利得制御端子ＧＣに与える。
【００５８】
なお、電源供給端子＋Ｂｕ，＋ＢｖＨ，＋ＢｖＬ、同調電圧供給端子ＶＴ、および利得制御端子ＧＣが受ける各電圧は、図示しないＭＯＰＬＬ（Mixer＋Oscillator＋Phase-Locked-Loop）−ＩＣ（集積回路）から供給される。このＭＯＰＬＬ−ＩＣは、選局されたチャネルの周波数に応じて、図示しないＣＰＵによって制御される。
【００５９】
図２は、図１に示したテレビジョンチューナの具体的な回路構成の一部を示す回路ブロック図である。図２において、Ｕ−Ｖ分離回路３は、コンデンサＣｖを含む。コンデンサＣｖの一方端子は、広帯域増幅器２の出力ノードに接続されるとともに、ＶＨＦハイバンド入力同調回路１１の入力ノードおよびＩＦトラップ回路１８の入力ノードに接続される。コンデンサＣｖの他方端子は、ＵＨＦ入力同調回路４の入力ノードに接続される。
【００６０】
ＵＨＦ入力同調回路４は、コイルＬ１〜Ｌ３と、可変容量ダイオードＤｔ１と、コンデンサＣｔ１，Ｃｅ１，Ｃｍ１，Ｃｄ１と、バイアス抵抗Ｒ１とを含む。インピーダンス整合用のコイルＬ１は、ノードＮ１とＵ−Ｖ分離回路３との間に接続される。同調用のコイルＬ２は、ノードＮ１と接地電位ＧＮＤのラインとの間に接続される。同調用の可変容量ダイオードＤｔ１は、ノードＮ１とノードＮ２との間に接続される。同調回路の周波数変化比設定用のコンデンサＣｔ１は、ノードＮ２と接地電位ＧＮＤのラインとの間に接続される。バイアス抵抗Ｒ１と高周波ノイズを除去するバイパス用のコンデンサＣｅ１は、ノードＮ２と接地電位ＧＮＤのラインとの間に直列接続される。バイアス抵抗Ｒ１とコンデンサＣｅ１との間のノードは、同調電圧供給端子ＶＴに接続される。同調用のコイルＬ３は、ノードＮ２とノードＮ３との間に接続される。イメージトラップ用のコンデンサＣｍ１は、ノードＮ３とノードＮ１との間に接続される。直流阻止用のコンデンサＣｄ１は、ノードＮ３とＵＨＦ高周波増幅器６の第１の入力ノードとの間に接続される。
【００６１】
Ｕ−Ｖ分離回路３のコンデンサＣｖおよびＵＨＦ入力同調回路４のコイルＬ１，Ｌ２は、ハイパスフィルタを構成する。このハイパスフィルタは、ＶＨＦ帯を減衰域とし、ＵＨＦ帯を通過域とする。
【００６２】
可変容量ダイオードＤｔ１、コンデンサＣｔ１およびコイルＬ２は、共振回路を構成する。可変容量ダイオードＤｔ１、コイルＬ３およびコンデンサＣｍ１で構成されるループは、可変型イメージトラップを構成する。同調電圧供給端子ＶＴに供給される同調電圧に応じて、可変容量ダイオードＤｔ１の容量が変化し、同調回路のインピーダンスが変化することによって、共振周波数が変化する。これにより、ＵＨＦバンドにおいて、選局される各チャネルの周波数に応じたイメージ信号が除去される。
【００６３】
チャンネル変更によって、選局していたチャネルの周波数よりも新しく選局したチャネルの周波数が低くなった場合は、同調電圧供給端子ＶＴに供給される同調電圧が低くなる。これにより、可変容量ダイオードＤｔ１に印加される逆電圧が低下して、可変容量ダイオードＤｔ１の容量が大きくなるため、可変容量ダイオードＤｔ１、コンデンサＣｔ１およびコイルＬ２で構成される共振回路の共振周波数を低くすることができる。またチャンネル変更によって、選局していたチャネルの周波数よりも新しく選局したチャネルの周波数が高くなった場合は、同調電圧供給端子ＶＴに供給される同調電圧が高くなる。これにより、可変容量ダイオードＤｔ１に印加される逆電圧が上昇して、可変容量ダイオードＤｔ１の容量が小さくなるため、可変容量ダイオードＤｔ１、コンデンサＣｔ１およびコイルＬ２で構成される共振回路の共振周波数を高くすることができる。
【００６４】
ＵＨＦ高周波増幅器（電界効果トランジスタ）６の第２の入力ノードは、バイパス用のコンデンサＣｅ２を介して接地電位ＧＮＤのラインに接続されるとともに、バイアス抵抗５を介して利得制御端子ＧＣに接続される。バイパス用のコンデンサＣｅ３は、ＵＨＦ高周波増幅器６の第２の入力ノードと接地電位ＧＮＤとの間に、バイアス抵抗５と直列接続される。このＵＨＦ高周波増幅器６の増幅利得は、第１の入力ノードが受けるＵＨＦ信号と第２の入力ノードがうける利得制御電圧との差分に応じて決まる。
【００６５】
バンド切替回路７は、ダンピング抵抗Ｒ２と、チョークコイルＬ４と、コンデンサＣｅ４とを含む。ＵＨＦ高周波増幅器６の出力ノードは、バンド切替回路７内のノードＮ４を介してＵＨＦ出力同調回路８の入力ノードに接続される。ダンピング抵抗Ｒ２およびチョークコイルＬ４は、ノードＮ４と電源供給端子＋Ｂｕとの間に直列接続される。バイパス用のコンデンサＣｅ４は、電源供給端子＋Ｂｕと接地電位ＧＮＤのラインとの間に接続される。チョークコイルＬ４は、ＵＨＦ信号よりも低い周波数の信号を除去するためのものである。また、ダンピング抵抗Ｒ２は、チョークコイルＬ４による共振を防ぐためのものである。
【００６６】
ＶＨＦハイバンド入力同調回路１１は、コイルＬ５，Ｌ６と、可変容量ダイオードＤｔ２，Ｄｔ３と、コンデンサＣｄ２，Ｃｄ３，Ｃｔ２，Ｃｅ５，Ｃｍ２と、バイアス抵抗Ｒ３，Ｒ４とを含む。直流阻止用のコンデンサＣｄ２は、ノードＮ５とＵ−Ｖ分離回路３との間に接続される。インピーダンス整合用のコイルＬ５は、ノードＮ５とノードＮ６との間に接続される。同調用のコイルＬ６は、ノードＮ６と接地電位ＧＮＤのラインとの間に接続される。同調用の可変容量ダイオードＤｔ２と同調回路の周波数変化比設定用のコンデンサＣｔ２は、ノードＮ６と接地電位ＧＮＤのラインとの間に直列接続される。バイアス抵抗Ｒ２は、可変容量ダイオードＤｔ２とコンデンサＣｔ２との間のノードとノードＮ７との間に接続される。ノードＮ７は、同調電圧供給端子ＶＴに接続される。バイパス用のコンデンサＣｅ５は、ノードＮ７と接地電位ＧＮＤのラインとの間に接続される。バイアス抵抗Ｒ４は、ノードＮ８とノードＮ７との間に接続される。ＶＨＦハイバンド入力同調回路１１とＶＨＦハイバンド高周波増幅器１３とのインピーダンス整合用の可変容量ダイオードＤｔ３は、ノードＮ６とノードＮ８との間に接続される。イメージトラップ用のコンデンサＣｍ２は、ノードＮ８とノードＮ５との間に接続される。直流阻止用のコンデンサＣｄ３は、ノードＮ８とＶＨＦハイバンド高周波増幅器１３の第１の入力ノードとの間に接続される。
【００６７】
可変容量ダイオードＤｔ２、コンデンサＣｔ２およびコイルＬ６は、共振回路を構成する。コイルＬ５、可変容量ダイオードＤｔ３およびコンデンサＣｍ２で構成されるループは、可変型イメージトラップを構成する。同調電圧供給端子ＶＴに供給される同調電圧に応じて、可変容量ダイオードＤｔ２の容量が変化し、同調回路のインピーダンスが変化することによって、共振周波数が変化する。これにより、ＶＨＦハイバンドにおいて、選局される各チャネルの周波数に応じたイメージ信号が除去される。
【００６８】
チャンネル変更によって、選局していたチャネルの周波数よりも新しく選局したチャネルの周波数が低くなった場合は、同調電圧供給端子ＶＴに供給される同調電圧が低くなる。これにより、可変容量ダイオードＤｔ２に印加される逆電圧が低下して、可変容量ダイオードＤｔ２の容量が大きくなるため、可変容量ダイオードＤｔ２、コンデンサＣｔ２およびコイルＬ６で構成される共振回路の共振周波数を低くすることができる。またチャンネル変更によって、選局していたチャネルの周波数よりも新しく選局したチャネルの周波数が高くなった場合は、同調電圧供給端子ＶＴに供給される同調電圧が高くなる。これにより、可変容量ダイオードＤｔ２に印加される逆電圧が上昇して、可変容量ダイオードＤｔ２の容量が小さくなるため、可変容量ダイオードＤｔ２、コンデンサＣｔ２およびコイルＬ６で構成される共振回路の共振周波数を高くすることができる。
【００６９】
ＶＨＦハイバンド高周波増幅器（電界効果トランジスタ）１３の第２の入力ノードは、バイパス用のコンデンサＣｅ６を介して接地電位ＧＮＤのラインに接続されるとともに、バイアス抵抗１２を介して利得制御端子ＧＣに接続される。バイパス用のコンデンサＣｅ７は、ＶＨＦハイバンド高周波増幅器１３の第２の入力ノードと接地電位ＧＮＤとの間に、バイアス抵抗１２と直列接続される。このＶＨＦハイバンド高周波増幅器１３の増幅利得は、第１の入力ノードが受けるＶＨＦハイバンド信号と第２の入力ノードがうける利得制御電圧との差分に応じて決まる。
【００７０】
バンド切替回路１４は、チョークコイルＬ７と、コンデンサＣｅ８とを含む。ＶＨＦハイバンド高周波増幅器１３の出力ノードは、バンド切替回路１４内のノードＮ９を介してＶＨＦハイバンド出力同調回路１５の入力ノードに接続される。チョークコイルＬ７は、ノードＮ９と電源供給端子＋ＢｖＨとの間に接続される。バイパス用のコンデンサＣｅ８は、電源供給端子＋ＢｖＨと接地電位ＧＮＤのラインとの間に接続される。チョークコイルＬ７は、ＶＨＦハイバンド信号よりも低い周波数の信号を除去するためのものである。
【００７１】
ＶＨＦローバンド入力同調回路１９は、コイルＬ８，Ｌ９と、可変容量ダイオードＤｔ４，Ｄｔ５と、コンデンサＣｄ４，Ｃｄ５，Ｃｔ３，Ｃｅ９，Ｃｍ３と、バイアス抵抗Ｒ６，Ｒ７とを含む。直流阻止用のコンデンサＣｄ４は、ノードＮ１０とＩＦトラップ回路１８との間に接続される。インピーダンス整合用のコイルＬ８は、ノードＮ１０とノードＮ１１との間に接続される。同調用のコイルＬ１０は、ノードＮ１１と接地電位ＧＮＤのラインとの間に接続される。同調用のコイルＬ９およびダンピング抵抗Ｒ５は、ノードＮ１１とノードＮ１２との間に並列接続される。同調用の可変容量ダイオードＤｔ４と同調回路の周波数変化比設定用のコンデンサＣｔ３は、ノードＮ１２と接地電位ＧＮＤのラインとの間に直列接続される。バイアス抵抗Ｒ５は、可変容量ダイオードＤｔ４とコンデンサＣｔ３との間のノードとノードＮ１３との間に接続される。ノードＮ１３は、同調電圧供給端子ＶＴに接続される。バイパス用のコンデンサＣｅ９は、ノードＮ１３と接地電位ＧＮＤのラインとの間に接続される。バイアス抵抗Ｒ７は、ノードＮ１４とノードＮ１３との間に接続される。ＶＨＦローバンド入力同調回路１９とＶＨＦローバンド高周波増幅器２１とのインピーダンス整合用の可変容量ダイオードＤｔ５は、ノードＮ１２とノードＮ１４との間に接続される。イメージトラップ用のコンデンサＣｍ３は、ノードＮ１４とノードＮ１０との間に接続される。直流阻止用のコンデンサＣｄ５は、ノードＮ１４とＶＨＦローバンド高周波増幅器２１の第１の入力ノードとの間に接続される。
【００７２】
可変容量ダイオードＤｔ４、コンデンサＣｔ３およびコイルＬ９，Ｌ１０は、共振回路を構成する。コイルＬ８，Ｌ９、ダンピング抵抗Ｒ５、可変容量ダイオードＤｔ５およびコンデンサＣｍ３で構成されるループは、可変型イメージトラップを構成する。同調電圧供給端子ＶＴに供給される同調電圧に応じて、可変容量ダイオードＤｔ４の容量が変化し、同調回路のインピーダンスが変化することによって、共振周波数が変化する。これにより、ＶＨＦローバンドにおいて、選局される各チャネルの周波数に応じたイメージ信号が除去される。
【００７３】
チャンネル変更によって、選局していたチャネルの周波数よりも新しく選局したチャネルの周波数が低くなった場合は、同調電圧供給端子ＶＴに供給される同調電圧が低くなる。これにより、可変容量ダイオードＤｔ４に印加される逆電圧が低下して、可変容量ダイオードＤｔ４の容量が大きくなるため、可変容量ダイオードＤｔ４、コンデンサＣｔ３およびコイルＬ９，Ｌ１０で構成される共振回路の共振周波数を低くすることができる。またチャンネル変更によって、選局していたチャネルの周波数よりも新しく選局したチャネルの周波数が高くなった場合は、同調電圧供給端子ＶＴに供給される同調電圧が高くなる。これにより、可変容量ダイオードＤｔ４に印加される逆電圧が上昇して、可変容量ダイオードＤｔ４の容量が小さくなるため、可変容量ダイオードＤｔ４、コンデンサＣｔ３およびコイルＬ９，Ｌ１０で構成される共振回路の共振周波数を高くすることができる。
【００７４】
ＶＨＦローバンド高周波増幅器（電界効果トランジスタ）２１の第２の入力ノードは、バイパス用のコンデンサＣｅ１０を介して接地電位ＧＮＤのラインに接続されるとともに、バイアス抵抗２０を介して利得制御端子ＧＣに接続される。バイパス用のコンデンサＣｅ１１は、ＶＨＦローバンド高周波増幅器２１の第２の入力ノードと接地電位ＧＮＤとの間に、バイアス抵抗２０と直列接続される。このＶＨＦローバンド高周波増幅器２１の増幅利得は、第１の入力ノードが受けるＶＨＦローバンド信号と第２の入力ノードがうける利得制御電圧との差分に応じて決まる。
【００７５】
バンド切替回路２２は、チョークコイルＬ１１と、コンデンサＣｅ１２とを含む。ＶＨＦローバンド高周波増幅器２１の出力ノードは、バンド切替回路２２内のノードＮ１５を介してＶＨＦローバンド出力同調回路２３の入力ノードに接続される。チョークコイルＬ１１は、ノードＮ１５と電源供給端子＋ＢｖＬとの間に接続される。バイパス用のコンデンサＣｅ１２は、電源供給端子＋ＢｖＬと接地電位ＧＮＤのラインとの間に接続される。チョークコイルＬ１１は、ＶＨＦローバンド信号よりも低い周波数の信号を除去するためのものである。
【００７６】
ここで、入力同調回路４，１１，１９および出力同調回路８，１５，２３の選択度特性について説明する。受信しようとする電波を他の電波から分離して、混信を受けないで受信するためには、高い選択度が要求される。通常、入力同調回路４，１１，１９の各々において２０ｄＢ、出力同調回路８，１５，２３の各々において４０ｄＢ、すなわち各バンドで入力同調回路と出力同調回路とで合計６０ｄＢ以上の選択度特性が要求される。
【００７７】
ＵＨＦ入力同調回路４およびＶＨＦハイバンド入力同調回路１１では、４０ｄＢ以上の減衰量が得られるため、それらの前段にＩＦトラップ回路を設ける必要はない。これに対し、ＶＨＦローバンド入力同調回路１９では、１０ｄＢ程度の減衰量しか得られない。これは、ＶＨＦローバンド信号の周波数帯域が中間周波数帯域に近いからである。このため、ＶＨＦローバンド入力同調回路１９の前段に、減衰域４０〜４６ＭＨｚにおいて１５〜２０ｄＢの減衰量が得られるＩＦトラップ回路１８を設けている。これにより、ＩＦトラップ回路１８とＶＨＦローバンド入力同調回路１９とで合計２５〜３０ｄＢの減衰量が得られる。
【００７８】
なお、ＩＦトラップ回路１８（減衰域４０〜４６ＭＨｚ、通過域５４ＭＨｚ以上）の代わりに、たとえば５〜４６ＭＨｚを減衰域とし、５４ＭＨｚ以上を通過域とするハイパスフィルタ（ＩＦフィルタ）を用いてもよい。ハイパスフィルタ（ＩＦフィルタ）は、ＩＦトラップ回路よりも大きな減衰量が得られるため、選択度特性は十分に確保される。
【００７９】
以上のように、この実施の形態１では、図５に示した従来のテレビジョンチューナに用いていたスイッチングダイオードＤｓｗ１０１，Ｄｓｗ１０２およびバンド切替スイッチ（スイッチングダイオード）ＳＷ１０１〜ＳＷ１０４の使用を廃止することができる。これにより、テレビジョン信号の入力レベルが９０ｄＢｕＶ以上の強入力レベルとなっている場合における、強入力妨害に対する耐性が改善される。具体的には、混変調歪み（ＩＭＤ：Intermodulation Distortion）が従来に比べて５〜１０ｄＢ以上改善される。
【００８０】
また、アンテナが受信したテレビジョン信号が複数のテレビジョンチューナに分配されている場合、電源オフ（無通電状態）にされているテレビジョンチューナからノイズが発生して、電源オン（通電状態）にされているテレビジョンチューナが妨害（無通電妨害）を受けるという問題も解消される。具体的には、無通電状態のテレビジョンチューナから発生するノイズとテレビジョン信号との相対比をみると、従来は−３０〜−４０ｄＢｃしか得られなかったのに対して、−６０ｄＢｃ以上得られるようになり、ノイズがほとんど発生しなくなる。
【００８１】
また、デジタル放送のチャンネルがアナログ放送のチャンネルに与えるデジタル妨害についても、従来に比べて数ｄＢ以上改善され、実質的に障害が発生しなくなる。さらに、テレビジョンチューナのＣＮ比（搬送波電力対雑音電力比）も改善される。具体的には、ＲＦ（無線周波数）入力レベルにおいて、規定のビット誤り率（ＢＥＲ：Bit Error Rate）に対して１０ｄＢ以上の改善がみられる。
【００８２】
図５に示した従来のテレビジョンチューナに用いていたスイッチングダイオードＤｓｗ１０１，Ｄｓｗ１０２を除去するとトラップの影響を受け易くなってしまうという問題は、Ｕ−Ｖ分離回路３を設けたことによって解決される。Ｕ−Ｖ分離回路３を構成するコンデンサＣｖと、ＵＨＦ入力同調回路４に含まれるコイルＬ１、ＶＨＦハイバンド入力同調回路１１に含まれるコイルＬ５、ＶＨＦローバンド入力同調回路１９に含まれるコイルＬ８の各々との組合せにより、トラップの影響を軽減する効果が得られる。
【００８３】
また、スイッチングダイオードを使用しないため、テレビジョンチューナの入力部に広帯域増幅器２を設けても問題なく、低雑音かつ高利得かつ低歪みのテレビジョンチューナが実現できる。
【００８４】
さらに、ハイパスフィルタの代わりにＩＦトラップ回路１８を使用することにより、低コスト化が図れる。また、スイッチングダイオードを使用しないため、従来に比べて消費電流が低減される。
【００８５】
［実施の形態１の変更例］
図３は、この発明の実施の形態１の変更例によるテレビジョンチューナの概略構成を示すブロック図であって、図１と対比される図である。図３のテレビジョンチューナを参照して、図１のテレビジョンチューナと異なる点は、ＩＦトラップ回路１８がＶＨＦローバンド入力同調回路１９の前段ではなく広帯域増幅器２の前段に設けられている点である。なお、図３において、図１と対応する部分においては同一符号を付し、その詳細説明は繰返さない。
【００８６】
ＩＦトラップ回路１８は、入力端子（アンテナ端子）１を介してテレビジョン信号を受け、特定の周波数帯域の信号を減衰させる。このＩＦトラップ回路１８は、たとえば４０〜４６ＭＨｚを減衰域とし、５４ＭＨｚ以上を通過域とする。
【００８７】
この場合も、実施の形態１と同様の効果が得られる。なお、ＩＦトラップ回路１８の代わりに、たとえば５〜４６ＭＨｚを減衰域とし、５４ＭＨｚ以上を通過域とするハイパスフィルタ（ＩＦフィルタ）を用いてもよい。
【００８８】
［実施の形態２］
図４は、この発明の実施の形態２によるシングルコンバージョン方式のテレビジョンチューナの具体的な回路構成の一部を示す回路ブロック図であって、図２と対比される図である。図４を参照して、図２のＵ−Ｖ分離回路３およびＵＨＦ入力同調回路４がＵ−Ｖ分離回路３１およびＵＨＦ入力同調回路３２で置換されている。なお、図４において、図２と対応する部分においては同一符号を付し、その詳細説明は繰返さない。
【００８９】
Ｕ−Ｖ分離回路３１は、互いに磁気的に結合したインダクタＬ３１，Ｌ３２を含む。インダクタＬ３１は、高周波増幅器２とＶＨＦハイバンド入力同調回路１１との間に接続される。インダクタＬ３２は、ＵＨＦ入力同調回路３２の入力ノードと接地電位ＧＮＤのラインとの間に接続される。インダクタＬ３１，Ｌ３２の結合度を適切な値に設定することによって、ＶＨＦ帯を減衰域とし、ＵＨＦ帯を通過域とする。これにより、ＵＨＦ入力同調回路３２にはＵＨＦ帯の信号のみが与えられる。
【００９０】
ＵＨＦ入力同調回路３２は、コイルＬ３３〜Ｌ３６と、可変容量ダイオードＤｔ３１，Ｄｔ３２と、コンデンサＣｈ，Ｃｔ３１，Ｃｅ３１，Ｃｄ３１，Ｃｍ３１と、バイアス抵抗Ｒ３１，Ｒ３２とを含む。直流阻止用のコンデンサＣｈおよびインピーダンス整合用のコイルＬ３３は、ノードＮ３１とＵ−Ｖ分離回路３１との間に直列接続される。インピーダンス整合用のコイルＬ３４は、ノードＮ３１と接地電位ＧＮＤのラインとの間に接続される。インピーダンス整合用のコイルＬ３５は、ノードＮ３１とノードＮ３２との間に接続される。同調用のコイルＬ３６は、ノードＮ３２と接地電位ＧＮＤのラインとの間に接続される。同調用の可変容量ダイオードＤｔ３１と同調回路の周波数変化比設定用のコンデンサＣｔ３１は、ノードＮ３２と接地電位ＧＮＤのラインとの間に直列接続される。バイアス抵抗Ｒ３１は、可変容量ダイオードＤｔ３１とコンデンサＣｔ３１との間のノードとノードＮ３３との間に接続される。ノードＮ３３は、同調電圧供給端子ＶＴに接続される。バイパス用のコンデンサＣｅ３１は、ノードＮ３３と接地電位ＧＮＤのラインとの間に接続される。バイアス抵抗Ｒ３２は、ノードＮ３３とノードＮ３４との間に接続される。ＶＨＦ入力同調回路３２とＵＨＦ高周波増幅器６とのインピーダンス整合用の可変容量ダイオードＤｔ３２は、ノードＮ３２とノードＮ３４との間に接続される。イメージトラップ用のコンデンサＣｍ３１は、ノードＮ３４とノードＮ３１との間に接続される。直流阻止用のコンデンサＣｄ３１は、ノードＮ３４とＵＨＦ高周波増幅器６の第１の入力ノードとの間に接続される。
【００９１】
可変容量ダイオードＤｔ３１、コンデンサＣｔ３１およびコイルＬ３６は、共振回路を構成する。コイルＬ３５、可変容量ダイオードＤｔ３２およびコンデンサＣｍ３１で構成されるループは、可変型イメージトラップを構成する。同調電圧供給端子ＶＴに供給される同調電圧に応じて、可変容量ダイオードＤｔ３１の容量が変化し、同調回路のインピーダンスが変化することによって、共振周波数が変化する。これにより、ＵＨＦバンドにおいて、選局される各チャネルの周波数に応じたイメージ信号が除去される。
【００９２】
チャンネル変更によって、選局していたチャネルの周波数よりも新しく選局したチャネルの周波数が低くなった場合は、同調電圧供給端子ＶＴに供給される同調電圧が低くなる。これにより、可変容量ダイオードＤｔ３１に印加される逆電圧が低下して、可変容量ダイオードＤｔ３１の容量が大きくなるため、可変容量ダイオードＤｔ３１、コンデンサＣｔ３１およびコイルＬ３６で構成される共振回路の共振周波数を低くすることができる。またチャンネル変更によって、選局していたチャネルの周波数よりも新しく選局したチャネルの周波数が高くなった場合は、同調電圧供給端子ＶＴに供給される同調電圧が高くなる。これにより、可変容量ダイオードＤｔ３１に印加される逆電圧が上昇して、可変容量ダイオードＤｔ３１の容量が小さくなるため、可変容量ダイオードＤｔ３１、コンデンサＣｔ３１およびコイルＬ３６で構成される共振回路の共振周波数を高くすることができる。
【００９３】
したがって、実施の形態１と同様の効果が得られる。なお、この場合も、ＩＦトラップ回路１８をＶＨＦローバンド入力同調回路１９の前段ではなく広帯域増幅器２の前段に設けてもよい。
【００９４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９５】
【図１】この発明の実施の形態１によるシングルコンバージョン方式のテレビジョンチューナの概略構成を示すブロック図である。
【図２】図１に示したテレビジョンチューナの具体的な回路構成の一部を示す回路ブロック図である。
【図３】この発明の実施の形態１の変更例によるテレビジョンチューナの概略構成を示すブロック図である。
【図４】この発明の実施の形態２によるシングルコンバージョン方式のテレビジョンチューナの具体的な回路構成の一部を示す回路ブロック図である。
【図５】従来のシングルコンバージョン方式のテレビジョンチューナの概略構成を示すブロック図である。
【符号の説明】
【００９６】
１，１０１  入力端子、２  広帯域増幅器、３，３１  Ｕ−Ｖ分離回路、４，３２，１０４  ＵＨＦ入力同調回路、５，１２，２０，１０５，１１３  ＡＧＣ抵抗、６，１０６  ＵＨＦ高周波増幅器、７，１４，２２  バンド切替回路、８，１０７  ＵＨＦ出力同調回路、９，１０８  ＵＨＦミキサー回路、１０，１０９  ＵＨＦ局部発振回路、１１，１１１  ＶＨＦハイバンド入力同調回路、１３  ＶＨＦハイバンド高周波増幅器、１５，１１５  ＶＨＦハイバンド出力同調回路、１６  ＶＨＦハイバンドミキサー回路、１７，１１８  ＶＨＦハイバンド局部発振回路、１８  ＩＦトラップ回路、１９，１１２  ＶＨＦローバンド入力同調回路、２１  ＶＨＦローバンド高周波増幅器、２３，１１６  ＶＨＦローバンド出力同調回路、２４  ＶＨＦローバンドミキサー回路、２５，１１９  ＶＨＦローバンド局部発振回路、２６，１２０  ＩＦ増幅回路、２７，１２１  ＳＡＷフィルタ、２８，１２２  アナログ復調回路、１０２  ハイパスフィルタ、１０３，１１０  入力切替回路、１１４  ＶＨＦ高周波増幅器、１１７  ＶＨＦミキサー回路、Ｌ１〜Ｌ１１，Ｌ３３〜Ｌ３６  コイル、Ｄｔ１〜Ｄｔ５，Ｄｔ３１，Ｄｔ３２  可変容量ダイオード、Ｃｖ，Ｃｔ１〜Ｃｔ３，Ｃｅ１〜Ｃｅ１２，Ｃｍ１〜Ｃｍ３，Ｃｄ１〜Ｃｄ５，Ｃｈ，Ｃｔ３１，Ｃｅ３１，Ｃｄ３１，Ｃｍ３１  コンデンサ、Ｒ１，Ｒ３，Ｒ４，Ｒ６，Ｒ７，Ｒ３１，Ｒ３２，Ｒ１０１〜Ｒ１０３  バイアス抵抗、Ｒ２，Ｒ５  ダンピング抵抗、Ｌ３１，Ｌ３２  インダクタ、ＳＷ１０１〜ＳＷ１０４  バンド切替スイッチ、Ｄｓｗ１０１，Ｄｓｗ１０２  スイッチングダイオード。
【図１】
2007036445.tif 000003
【図２】
2007036445.tif 000004
【図３】
2007036445.tif 000005
【図４】
2007036445.tif 000006
【図５】
2007036445.tif 000007